(57)【要約】      （修正有）【課題】構造が単純で、軽量コンパクトであり、短時間での反復練習が可能なパッティング練習器具を提供する。【解決手段】矩形状板１１の三方にゴルフボールのストッパーとなるストッパー枠１３を設け、このストッパー枠を囲む矩形状板の表面およびストッパー枠が設けられていない端部から所定距離だけ延在するように設けられた柔軟性素材１２とを有する傾斜板１０と、傾斜板を支える台座１４と傾斜板と台座との間に設けられ傾斜板の傾斜角度を所定範囲で可変する角度調整機構２０を設けた。傾斜板の傾斜角度を大きくすればパッティング距離の長い場合に対応でき、傾斜板の傾斜角度を小さくすればパッティング距離の短い場合に対応できる。【選択図】図１
0003191506.tif 000002
【実用新案登録請求の範囲】
【請求項１】
ゴルフのパッティング練習器具であって、矩形状板の三方にゴルフボールのストッパーとなるストッパー枠を設け、前記ストッパー枠を囲む前記矩形状板の表面および前記矩形状板の前記ストッパー枠が設けられていない端部から所定距離だけ延在するように設けられた柔軟性素材とを有する傾斜板と前記傾斜板を支える台座と、前記傾斜板と前記台座との間に設けられ前記傾斜板の傾斜角度を所定範囲で可変する角度調整機構を設けたことを特徴とする傾斜板角度可変式パッティング練習器具。
【考案の詳細な説明】
【技術分野】
【０００１】
本考案は、ゴルフのパッティング練習に用いられる練習用器具（以下、パッティング練習器具と呼ぶ）に関するものである。
【背景技術】
【０００２】
従来のパッティング練習器具は、高機能化を追求しているために複雑な構造となり、かつその形状も大きなものとなっている。しかも、高価であり、かつ練習するためにはパッティング練習器具をセットするための準備が必要であり、手軽にいつでも練習することは困難であった。  また、パッティング技術向上に最も要求される「狙った方向に狙った強さで打つ」技術を身につけるためには、できるだけ数多くのゴルフボールを正確に打つ努力をすることが望ましいが、従来のパッティング練習器具のほとんどはパターで打ったゴルフボールをホールに入ることに重点を置くため、短時間で数多く打つ練習には不向きであり、またゴルフボールを多く必要とし、打った後の回収にも時間がかかるなど、かなり不自由さを感じるものであった。
【０００３】
一方、従来のパッティング練習器具の構造面からみると、大きさが幅数１０ｃｍ以上で、長さ数ｍと大きく手軽さに欠け、かつ移動や携帯も困難であり、上記のようにゴルフボールも多数準備が必要でその回収に時間がかかるなどから、上達のために特に重要である毎日の練習の障害になっていた。
【０００４】
これらの課題に対して、かなり簡易な構造、方法が提案されている（例えば、特許文献１および２参照）。特許文献１に開示されたパッティング練習器具では、形状は２ｍ×５ｍ程度、特許文献２に開示されたパッティング練習器具でも０．９ｍ×１．８ｍ程度であり、手軽に練習するためにはまだ大きく、さらにそれらの構造もかなり複雑であり、両者とも短時間で数多く打てる構造にはなっていない。
また、傾斜面の角度を変化させることも簡単には出来ない構造である。
【先行技術文献】
【特許文献】
【０００５】
【特許文献１】特開平１１−２４４４４１号公報
【特許文献２】特開２００７−１４３６２号公報
【考案の概要】
【考案が解決しようとする課題】
【０００６】
本考案は、従来の課題である構造面の複雑さ、大きさ、重量、コスト、短時間での反復練習が不向きな面等を解決することを目的とする。
【課題を解決するための手段】
【０００７】
上記課題を解決するために本考案の傾斜角度可変式パッティング練習器具は、矩形状板の三方にゴルフボールのストッパーとなるストッパー枠を設け、このストッパー枠を囲む矩形状板の表面および矩形状板のストッパー枠が設けられていない端部から所定距離だけ延在するように設けられた柔軟性素材とを有する傾斜板と、傾斜板を支える台座と、傾斜板と台座との間に設けられ、傾斜板の傾斜角度を所定範囲で可変する角度調整機構を設けたことを特徴とする。
【考案の効果】
【０００８】
本考案のパッティング練習器具は、家庭内で簡単に練習が出来、かつ短時間で数多くの球を打つことが出来るので、狙った方向に狙った強さの反復練習が容易に出来る。  パッティング練習器具までのアプローチの素材としては、人工芝などを用いることが好ましいが、一般家庭に良くあるジュータン、キッチンマット、あるいはバスマットでも十分使用することができる。  また、傾斜板の角度は所定範囲で可変できる角度調整機構を設けているので、パッティング距離の長短の練習も簡単に行うことができる。すなわち、傾斜板の傾斜角度を大きくすればパッティング距離の長い場合に対応でき、傾斜板の傾斜角度を小さくすればパッティング距離の短い場合に対応できる。
しかもパッティング練習器具自体は、軽量でかつコンパクトであり、低価格で作製することができるので、ユーザーの利便性を高くできるという効果を有する。
【図面の簡単な説明】
【０００９】
【図１】本考案の実施の形態にかかるパッティング練習器具の形状を示す斜視図。
【図２】同実施の形態にかかるパッティング練習器具の形状を示す平面図。
【図３】同実施の形態にかかるパッティング練習器具の形状を示す側面図。
【図４】同実施の形態にかかるパッティング練習器具の形状を示す写真。
【考案を実施するための形態】
【００１０】
本考案の実施の形態にかかるパッティング練習器具について、以下図面を参照しながら詳細に説明する。
図１は、本考案の実施の形態にかかるパッティング練習器具の形状を示す斜視図であり、図２はその平面図、図３はその側面図、図４はその写真である。
【００１１】
以下これらの図面を用いて、本実施の形態にかかるパッティング練習器具の構造を説明する。  図１に示すように、本実施の形態のパッティング練習器具は、矩形状板１１の三方にゴルフボールのストッパーとなるストッパー枠１３を設け、このストッパー枠１３を囲む矩形状板１１の表面および矩形状板１１のストッパー枠１３が設けられていない端部から所定距離だけ延在するように設けられた柔軟性素材１２とを有する傾斜板１０と、傾斜板１０を支える台座１４と傾斜板１０と台座１４との間に設けられ、傾斜板１０の傾斜角度を所定範囲で可変する角度調整機構２０を設けた構造からなる。  本実施の形態では、角度調整機構２０は台座１４側に取り付けた角度調整支え軸１５と角度調整支え柱１６および傾斜板１０側に設けられた角度調整支え柱１６のストッパー１７とから構成されている。
なお本考案においては、角度調整機構２０は上記の構造に限定されることはなく、ゴルフボールが傾斜板１０上に乗っても傾斜板１０の角度が変化しないものであれば色々な構造を用いることができる。例えば、バネを用いることもできるし、傾斜板１０と台座１４との間にバルーンを入れ込む構造などであってもよい。また、台座１４と傾斜板１０とは、使用しないときには角度調整支え柱１６をストッパー１７から外して折りたたんだ状態で収納できる。  使用する場合には、台座１４と傾斜板１０が所定の角度となる様に角度調整支え柱１６をストッパー１７の適当な位置にセットして使用する。図１から図３および図４から分かるように、ゴルフボールの通る傾斜板１０の表面およびストッパー枠１３が設けられていない端部から所定距離だけ延在させて柔軟性素材１２が貼り付けられているが、この柔軟性素材１２としては、例えば人工芝、マット、フェルト布などを使うことができる。傾斜板１０の矩形状板１１およびストッパー枠１３は、木材、プラスチック、発砲スチロールやスチールなどの金属材料を使うことができる。また、矩形状板１１とストッパー枠１３とは別々に作製して接着剤やネジ止めしてもよいし、あるいは一体的に成形して作製してもよい。さらに、台座１４についても傾斜板１０と同様に木材、プラスチック、発砲スチロールやスチールなどの金属材料を使うことができる。
本実施の形態では、これらの素材として木材を使った場合について説明している。  この場合には、固定ネジ１８は例えば木ネジを使用することができる。なお、金属材料を使う場合には、固定ネジ１８はボルトナットを使うことが好ましい。
【００１２】
傾斜板１０の大きさは、実際のゴルフ場でのカップの直径に近い幅Ｗを１０ｃｍ程度とすることが好ましいが、必ずしもこの幅に限定されることはない。
カップの直径に近い幅とすれば、傾斜板１０にゴルフボールが到達することでカップインとみなすことができる。また、傾斜板１０の長さＬとしては２０ｃｍ程度あればよく、ゴルフボールは傾斜板１０の矩形状板１１の表面に転がって上がり、その後打った場所に向かって逆戻りする。
なお、傾斜板１０の長さとしては、上記の２０ｃｍ程度に限定されるものではなく、さらに長くしてもよい。また、パターを打つ場所からパッティング練習器具の柔軟性素材１２までについては、柔軟性素材１２と同様に人工芝を敷くのが好ましいが、ジュウタン、キッチンマットあるいはバスマットを用いてもよい。狙った方向に狙った強さで打つための練習は、実際により多くの球を打つことによる、反復練習が必要であることからあえてカップを設けていない。したがって、傾斜板１０表面に乗り上がったゴルフボールは位置のエネルギーにより自然に元の位置まで、１ｍ程度の距離で有れば１分間に十数回の練習は十分可能である。
より長いパッティング距離の練習も必要とする場合は、傾斜板１０の長さをより長くすることで可能となる。傾斜板１０の角度は、１８°〜３５°程度の範囲で変更が可能で有り、角度を大きくしていけば、より長い距離に該当する練習が出来る。
上記のように、本実施の形態のパッティング練習器具は軽量コンパクトで簡単にいろいろな練習が数多く出来るものである。
【産業上の利用可能性】
【００１３】
本考案は、ゴルフのパッティングにおける、狙った方向に狙った強さで打つことが出来るようになる練習方法に適した器具であり、多くのゴルフ愛好家の手軽な練習用器具として有用である。
【符号の説明】
【００１４】
１０  傾斜板
１１  矩形状板
１２  柔軟性素材
１３  ストッパー枠
１４  台座
１５  角度調整支え軸
１６  角度調整支え柱
１７  ストッパー
１８  固定ネジ
２０  角度調整機構
【図１】
0003191506.tif 000003
【図２】
0003191506.tif 000004
【図３】
0003191506.tif 000005
【図４】
0003191506.tif 000006